(57)【要約】【課題】  把手部材を壜胴後部の凹部内へインサート成形した大容量の把手付き合成樹脂壜において、壜に対する把手部材の組付けが確実となるよう設けた。【解決手段】  把手板12の左右両側から前方へ横向きＵ字形状に突出させた左右一対の各脚板14上部14a の前部上面から上方へ、かつ下部14b 下面の前部からは下方へ、それぞれ第１係合爪15を突出させてそれ等各爪を凹部２形成壁の上面および下面中へ、それぞれ埋設させた。【選択図】  図１
2006069572.tif 000002
【特許請求の範囲】
【請求項１】
把手板12の左右両側から左右一対の横向きＵ字形状脚板14を前方張出しさせて把手部材11となし、それ等一対の脚板14を、壜胴後部に形成された凹部２の壁面へインサート成形で埋設した把手付き合成樹脂壜において、
上記脚板上部14a の前部上面から上方へ、かつ下部14b の下面前部からは下方へそれぞれ第１係合爪15を突出させて、それ等各係合爪を凹部２形成壁の上面および下面中へ埋設させた
ことを特徴とする把手付き合成樹脂壜。
【請求項２】
上記脚板上部14a および脚板下部14b の前端部を残して、これ等両前端部の後方部分から、各第１係合爪15を突出させた
ことを特徴とする請求項１記載の把手付き合成樹脂壜。
【請求項３】
上記両脚板14前部の上下方向垂直部14c へ第２係合爪16を、対向する垂直部方向へ向け突設すると共に、上記両垂直部間の凹部形成壁部分を後方張出しさせて該張出し部３の基部左右両側面を上記垂直部14c の各対向面へ、かつ該張出し部３後部の一部を上記第２係合爪16の後面へ、それぞれ係合させた
ことを特徴とする請求項１、又は２記載の把手付き合成樹脂壜。
【請求項４】
上記把手板12の上部を上前方へ、かつ下部を下前方へ、それぞれ弯曲突出させると共に、それ等両弯曲部12a の前端へ横棒部13を付設してその左右両部を両弯曲部の左右外方へ突出して、それ等上下横棒両端を介して脚板14を前方突出し、又上方横棒13a および脚板上方部分を上方弯曲部12a よりも高く、かつ下方横棒13b および脚板下方部分の下面を下方の弯曲部12a よりも低く形成して、それ等両脚板14の各外面を壜壁外方へ露出させた
ことを特徴とする請求項１、2 又は３記載の把手付き合成樹脂壜。
【請求項５】
上記上方の弯曲部12a 上方の上方横棒部分と下方の弯曲部12a 下方の下方横棒部分の各左右方向中間部をそれぞれ切欠き17して、それ等切欠きの底面および左右両側面へ、壜壁を当接させた
ことを特徴とする、請求項４記載の把手付き合成樹脂壜。
【請求項６】
上記両切欠き17の各底面から、複数の突子18を突設して、それ等各突子の各上面および隣合う突子間の間隙内へ壜壁を当接させた
ことを特徴とする、請求項５記載の把手付き合成樹脂壜。
【発明の詳細な説明】
【技術分野】
【０００１】
本発明は、把手付き合成樹脂壜に関する。
【背景技術】
【０００２】
起立する長方形状把手板の左右両側から、横向きＵ字形状の脚板を左右一対として前方へ張出しさせた形状の把手部材を設けておき、それ等一対の脚板を、壜胴の後部に形成される凹部の外壁面へインサート成形で埋設した把手付き合成樹脂壜器が知られている（特許文献１）。
【特許文献１】特開２０００−１６４３４号公報
【発明の開示】
【発明が解決しようとする課題】
【０００３】
大容量の把手付き合成樹脂壜は、容量の増大に伴って液体充填状態での重量が増大し、従って把手にかかる負担も増大して合成樹脂壜から外れ易く、よって壜と把手部材との連結を従来よりも確実に行えるようにすることが必要である。
【０００４】
本発明はそのような目的を達成することが可能としたものである。
【課題を解決するための手段】
【０００５】
第１の手段として把手板12の左右両側から左右一対の横向きＵ字形状脚板14を前方張出しさせて把手部材11となし、それ等一対の脚板14を、壜胴後部に形成された凹部２の壁面へインサート成形で埋設した把手付き合成樹脂壜において、
上記脚板上部14a の前部上面から上方へ、かつ下部14b の下面前部からは下方へそれぞれ第１係合爪15を突出させて、それ等各係合爪を凹部２形成壁の上面および下面中へ埋設させた。
【０００６】
第２の手段として、上記第１の手段を有すると共に上記脚板上部14a および脚板下部14b の前端部を残して、これ等両前端部の後方部分から、各第１係合爪15を突出させた。
【０００７】
第３の手段として、上記第１又は第２の手段を有すると共に上記両脚板14前部の上下方向垂直部14c へ第２係合爪16を、対向する垂直部方向へ向け突設すると共に、上記両垂直部間の凹部形成壁部分を後方張出しさせて該張出し部３の基部左右両側面を上記垂直部14c の各対向面へ、かつ該張出し部３後部の一部を上記第２係合爪16の後面へ、それぞれ係合させた。
【０００８】
第４の手段として、上記第１、第２、又は第３の手段を有すると共に上記把手板12の上部を上前方へ、かつ下部を下前方へ、それぞれ弯曲突出させると共に、それ等両弯曲部12a の前端へ横棒部13を付設してその左右両部を両弯曲部の左右外方へ突出して、それ等上下横棒両端を介して脚板14を前方突出し、又上方横棒13a および脚板上方部分を上方弯曲部12a よりも高く、かつ下方横棒13b および脚板下方部分の下面を下方の弯曲部12a よりも低く形成して、それ等両脚板14の各外面を壜壁外方へ露出させた。
【０００９】
第５の手段として、上記第４の手段を有すると共に上記上方の弯曲部12a 上方の上方横棒部分と下方の弯曲部12a 下方の下方横棒部分の各左右方向中間部をそれぞれ切欠き17して、それ等切欠きの底面および左右両側面へ、壜壁を当接させた。
【００１０】
第６の手段として、上記第５の手段を有すると共に上記両切欠き17の各底面から、複数の突子18を突設して、それ等各突子の各上面および隣合う突子間の間隙内へ壜壁を当接させた。
【発明の効果】
【００１１】
請求項１記載のように形成することで、第１係合爪15が、壜１に対する把手部材11の前後および左右方向への移動を確実に防止することとなって、取落し等による壜衝撃によっても、又把手部材へ他物が当る等の衝撃が加えられても把手部材が壜から外れることがない。
【００１２】
請求項２のようにすることで、請求項１記載の効果を更に高めることが出来る。
【００１３】
請求項３のようにすることで、両脚板の両垂直部間への壜壁張出部の基部左右両側面を、脚板垂直部の対向面へ、かつ張出し部後部の一部を、左右両脚板垂直部から各対向面方向へ突出する左右の第２係合爪16後面へ、それぞれ係合させたから、上記請求項１および２の場合に比べて、壜に対する把手部材組付けの確実性を更に高めることが出来る。
【００１４】
請求項４のようにすることで、壜に対する把手部材組付けの確実性を高めると共に、その組付けを容易とし、容器成形サイクルを高めることが出来る。
【００１５】
請求項５のようにすることで、切欠き17の左右両側面へも壜壁一部が接することとなり、又請求項６の場合は更に加えて切欠き17底面から突出する複数の突子18間にも壜壁一部が接することとなり、壜に対する把手部材組付けの確実性を高めることとなる。
【発明を実施するための最良の形態】
【００１６】
まず図１から図４が示す第１実施形態について説明すると、本発明の把手付き合成樹脂壜は、二軸延伸して形成した壜１の胴後部に形成した凹部２内へ、インサート成形により把手部材11を組付けている。
【００１７】
説明の便宜上まず把手部材11について説明すると、該把手部材11は、図４が示すように起立させた長方形状把手板12の左右両側から、左右一対の横向きＵ字形状の脚板12を前方へ張出し突出させたもので、図示例では把手板の上部を上前方へ、又下部を下前方へ、それぞれ弯曲突出し、それ等両弯曲部12a 前端へ横棒部13を付設してその横棒部先端を両弯曲部の左右外方へ突出し、それ等上下の横棒両端を介して脚板14を前方突出している。図が示すように上方横棒13a と両脚板の上部14a とは、又下方横棒13b と両脚板の下部14b とは、上方からみてＵ字状に連続させて形成するとよく、又上方横棒13a と両脚板の上部14a との各上部は既述上方弯曲面よりも高く設けて、下方横棒13b と両脚板下部14b の各下部は下方弯曲面よりも低く設けている。
【００１８】
上記両脚板14の各上部14a の前端寄り部分上面と、各下部14b の前端寄り部分下面とからは、前端部を残してその後方部分から第１係合爪15をそれぞれ上方又は下方へ突出させている。又両脚板の垂直部14c の上部と下部とからは、前方および対向する垂直部分方向へ突出させて第２係合爪16を付設している。
【００１９】
垂直部14c の上下両端前面と、脚板上部14a の上面、および脚板下部14b の下面との屈折部は直角としても又弯曲させてもよい。
【００２０】
上記のように形成した把手部材11は図１が示すように壜１の既述凹部２内へインサート成形により嵌合させる。図１から図３が示すように壜の凹部上壁は脚板14の上方横棒13a 上面、および脚板上部14a の上面へ接し、又凹部下壁は脚板の下方横棒13b の下面および脚板下部14b の下面へ接し、両脚板垂直部14c 間の壜壁は図３が示すように後方張出して、該張出し部３の基部側面は脚板垂直部14c の対向面へ接し、又該張出し部側面後部の一部は第２係合爪16の後面へ係合する。
【００２１】
尚脚板垂直部14c および第２係合爪16の後面と、該係合爪の上下両面へも壜壁は接するから、このようにして第１係合爪15および第２係合爪16は壜壁中へ埋設されることとなる。
【００２２】
図５から図７は第２実施形態を示す。上記第１実施形態と同一部分については同一符号を付することで説明を省略し、相違部分についてだけ説明すると上方弯曲部上方の上方横棒部分と下方弯曲部下方の下方横棒部分との各左右方向中間部を切欠き17している。そして該切欠き部分底面と左右両側面とに、それぞれ壜壁を当接させている。
【００２３】
図８から図１０は第３実施形態を示す。該実施形態の場合も既述第１、第２実施形態と同一部分については同一符号を付することで説明を省略し、相違部分についてだけ説明すると、該実施形態は既述第２実施形態の切欠き17の底面から複数の鋸歯状の突子18を突出させている。その突子は鋸歯状以外の突子でもよい。
【００２４】
そして該実施形態の場合は隣合う各突子間および各突子前面も壜壁で覆うものとする。    
【００２５】
既述各実施形態において、壜および把手部材はそれぞれペット樹脂で形成した。
【図面の簡単な説明】
【００２６】
【図１】本発明壜を、一部を切欠いて示す側面図である。
【図２】図１要部の拡大図である。
【図３】図１の横断面図である。
【図４】図１壜に埋設する把手部材の斜視図である。
【図５】第２実施形態で、本発明壜を一部切欠いて示す側面図である。
【図６】図５要部の拡大図である。
【図７】図５壜に使用している把手部材の斜視図である。
【図８】第３実施形態で、本発明壜を一部切欠いて示す側面図である。
【図９】図８要部の拡大図である。
【図１０】図８壜に使用している把手部材の斜視図である。
【符号の説明】
【００２７】
１  壜                              ２  凹部
３  張出し部                        11  把手部材
12  把手板                          13  横棒部
14  脚板                            15  第１係合爪
16  第２係合爪                      17  切欠き
【図１】
2006069572.tif 000003
【図２】
2006069572.tif 000004
【図３】
2006069572.tif 000005
【図４】
2006069572.tif 000006
【図５】
2006069572.tif 000007
【図６】
2006069572.tif 000008
【図７】
2006069572.tif 000009
【図８】
2006069572.tif 000010
【図９】
2006069572.tif 000011
【図１０】
2006069572.tif 000012